(57)【要約】【課題】斜面保護体に主に適用できる、緑化用筒体と植物生育基盤設置工法に関して、斜面保護体の貫通孔内において、非常に安定した植物生育基盤を得ること、また、植物生育基盤の充填作業の必要を無くし、簡易で確実な植物生育基盤の設置方法を得る。【解決手段】少なくとも植物生育基盤を収容した透水性を有する袋体を、筒体に収容してなるとともに、前記袋体の植物生育基盤投入口を閉口して形成される耳部を、前記筒体に固定して、緑化用筒体を構成した。【選択図】　　　　図１
2004011133.tif 000002
【特許請求の範囲】
【請求項１】
斜面保護体の表面から地山に向かって形成された貫通孔内に植物生育基盤を設置する緑化用筒体であって、少なくとも植物生育基盤を収容した透水性を有する袋体を、筒体に挿入してなる緑化用筒体。
【請求項２】
斜面保護体の表面から地山に向かって形成された貫通孔内に植物生育基盤を設置する緑化用筒体であって、少なくとも植物生育基盤を収容した透水性を有する袋体を、筒体に収容してなるとともに、前記袋体の植物生育基盤投入口を閉口して形成される耳部を、前記筒体に固定してなることを特徴とする緑化用筒体。
【請求項３】
斜面保護体の表面から地山に向かって形成された貫通孔内に植物生育基盤を設置する工法であって、少なくとも植物生育基盤を収容した透水性を有する袋体を挿入した筒体を、前記孔内に設置した後に、前記筒体を撤去することを特徴とする植物生育基盤設置工法。
【発明の詳細な説明】
【０００１】
【発明の属する技術分野】
本発明は、コンクリート擁壁や、石積みやコンクリートブロック擁壁、または法枠などからなる斜面保護体に主に適用できる、緑化用筒体と植物生育基盤設置工法に関する。
【０００２】
【従来の技術】
従来、コンクリート擁壁などを緑化する手段として、壁面に多数設けられた地山への貫通孔に、泥状化した植物生育基盤を注入し、該植物生育基盤中に混入した植物種子を発芽生育させることにより緑化を図ったり、植物生育基盤の頂部にポット苗を植栽することにより緑化を図る方法が採られている。
【０００３】
【発明が解決しようとする課題】
この方法によると、充填した基盤が不安定であるため、貫通孔表面開口部では降雨の雨滴や壁面を流下する水流で基盤が洗い流されたり、貫通孔地山側開口部では、壁面裏の裏込めの砕石間を流下する水によって基盤が洗い流されることにより、植物生育基盤の基盤量が不足し、導入した植物の生育が阻害されることがしばしばあった。
【０００４】
また、植物生育基盤の充填には特別な機械が必要であるとともに、充填は、壁面を構築して後の施工となるため、壁面の上部では高所の充填作業となり、作業者の安全上問題があった。
【０００５】
本発明は、斜面保護体に主に適用できる、緑化用筒体と植物生育基盤設置工法に関して、斜面保護体の貫通孔内において、非常に安定した植物生育基盤を得ること、また、植物生育基盤の充填作業の必要を無くし、簡易で確実な植物生育基盤の設置方法を得ることを目的としている。
【０００６】
【課題を解決するための手段】
即ち、本発明の第１発明に係る緑化用筒体は、斜面保護体の表面から地山に向かって形成された貫通孔内に植物生育基盤を設置する緑化用筒体であって、少なくとも植物生育基盤を収容した透水性を有する袋体を、筒体に挿入してなることを特徴とする。
【０００７】
上記構成によれば、植物生育基盤は、透水性を有する袋体によって被覆保護されることとなり、植物に必要な水分を取り入れることができるとともに、植物生育基盤が洗い流されること無く安定した状態で基盤を維持可能となる。また、緑化用筒体は筒体により全体が保護されているため、型崩れがなく、斜面保護体の貫通孔内に設置が容易である。
【０００８】
植物生育基盤には、種子を混入すると、降雨による吸水の後に種子が発芽生育し、斜面保護体の貫通孔から導入植物が繁茂して、斜面保護体表面の緑化が可能となる。
【０００９】
また、緑化用筒体内の植物生育基盤を、筒体の先端、すなわち斜面保護体表面から若干控えて構成すると、植物苗を設置可能となり、苗による緑化が可能となる。
【００１０】
なお、筒体の表面には多数の孔が設けられているのが好ましく、透水性が良好となり、植物生育基盤がより多くの水分を吸収可能となり、植物の生育上好ましい。
【００１１】
また第２発明は、少なくとも植物生育基盤を収容した透水性を有する袋体を、筒体に収容してなるとともに、前記袋体の植物生育基盤投入口を閉口して形成される耳部を、前記筒体に固定してなることを特徴とする。
【００１２】
上記構成によると、植物生育基盤を収容した後に閉口して形成される耳部を有効に利用して、簡単に筒体に固定することができ、筒体内部で袋体が不測にズレ落ちることを効果的に防止できる。
【００１３】
また、第３発明は、斜面保護体の表面から地山に向かって形成された貫通孔内に植物生育基盤を設置する工法であって、少なくとも植物生育基盤を収容した透水性を有する袋体を挿入した筒体を、前記孔内に設置した後に、前記筒体を撤去することを特徴とする。
【００１４】
上記の構成によれば、植物生育基盤を収容した袋体を設置後に、筒体を撤去することにより、筒体は、斜面保護体の貫通孔内への植物生育基盤の挿入を容易にする役目を終えた後に再利用が可能となり、その分コスト安に貫通孔内に植物生育基盤を設置可能となる。
【００１５】
【発明の実施の形態】
以下、本発明の実施の形態を図面に基づいて説明する。
図１は、斜面保護体の一種である、ブロック積み擁壁の断面図を示したものである。図中、１はブロック、２は胴込コンクリート、３は裏込め砕石、Ｎは斜面の地山、４はブロック表面に多数設けられた地山方向への貫通孔であり、貫通孔４内に、緑化用筒体（筒体Ｐに挿入された、植物生育基盤入りの袋体Ｓ）が設置されている。
【００１６】
緑化用筒体は、通常、貫通孔４を通じて、砕石３まで達することにより、砕石内を流下する水分を吸水することが可能である。緑化用筒体は、設置後、植物生育基盤入りの袋体Ｓを貫通孔４内に残して、筒体Ｐを撤去回収すると再利用が可能となる。
【００１７】
また、緑化用筒体は、地山Ｎまで達するように長尺とすると、植物生育基盤の基盤量を多くすることができ、導入する植物の生育にとって有効となる。
【００１８】
図２は、植物生育基盤９を透水性を有する袋体５に収容して、その植物生育基盤投入口を閉口して、折り返し部６を形成し、ステープル止めなどを行って、耳部７を形成する様子を示している。
【００１９】
植物生育基盤９は、ピートモス、バーク堆肥、バーミキュライト、肥料等を混合してなる。袋体５は、植物に水分を供給するため透水性を有する素材であればよく、不織布等が好適である。
【００２０】
図３（Ａ）〜（Ｃ）は、筒体Ｐに、植物生育基盤入りの袋体Ｓの耳部７を固定する各種手段を示している。いずれも、固定手段としてステープル８を用いているが、ヒートシール等により接着固定しても良い。
【００２１】
図４（Ａ）〜（Ｃ）は、各種緑化手段を示している。
（Ａ）は、植物生育基盤９に種子１０が混入されており、その種子１０が発芽して、袋体５を通芽し、生育することにより緑化を達成する。種子１０としては、牧草、野草の各種が使用可能である。
【００２２】
（Ｂ）は、同じく種子１０による緑化手段であるが、種子１０が、種子が通芽可能な種子パック１１内に収容されており、種子パック１１を斜面保護体表面側に配置することにより、無駄なく種子１０を使用することができる。
【００２３】
（Ｃ）は、種子に換えて、植物苗１２による緑化手段であるが、袋体Ｓを、斜面保護体表面から若干控えて構成することにより、植物苗１２を設置可能な空間が生まれ、植物苗１２による緑化が可能となる。植物苗１２としては、つる性植物等、各種の苗が適用可能である。
【００２４】
【発明の効果】
以上説明したように、本発明によれば、斜面保護体に主に適用できる、緑化用筒体と植物生育基盤設置工法に関して、斜面保護体の貫通孔内において、非常に安定した植物生育基盤を得ることができ、また、植物生育基盤の充填作業の必要を無くし、簡易で確実な植物生育基盤の設置方法を得ることができるため、簡易な方法で斜面保護体の表面を、種子や植物苗を用いて確実に緑化することが可能となる。
【００２５】
【図面の簡単な説明】
【図１】斜面保護体の一種である、ブロック積み擁壁の断面図を示したものである。
【図２】袋体５の耳部７の形成方法を示した図である。
【図３】植物生育基盤入りの袋体Ｓの耳部７を固定する各種手段を示している。
【図４】各種緑化手段を示している。
【符号の説明】
１…ブロック、３…砕石、４…貫通孔、５…袋体、７…耳部、８…固定手段、９…植物生育基盤、１０…種子、１１…種子パック、１２…植物苗
【図１】
2004011133.tif 000003
【図２】
2004011133.tif 000004
【図３】
2004011133.tif 000005
【図４】
2004011133.tif 000006